(57)【要約】【課題】発呼端末の通話中に、広域通信ネットワーク及び狭域高速通信ネットワークのアクセス区間を切り替える方法等を提供する。【解決手段】発呼端末が、広域通信ネットワークを介して構内交換装置へ、発呼元番号及び着呼先番号を含む呼情報と共に発呼する。構内交換装置が、着呼先番号を用いて、広域通信ネットワークを介して着呼端末へ再発呼し、発呼端末に対する呼接続と、着呼端末に対する呼接続との間で広域通信ネットワークを介して中継する。発呼端末が、移動によって、狭域通信ネットワークを介して構内交換装置へ接続したとき、構内交換装置が、発呼端末に対する呼接続と、着呼端末に対する呼接続との間で中継するようにアクセス区間を切り替える。【選択図】図２
2010021660.tif 000002
【特許請求の範囲】
【請求項１】
広域通信ネットワークを介して呼接続可能な発呼端末及び着呼端末と、前記広域通信ネットワーク及び狭域通信ネットワークに接続される構内交換装置とを有するシステムにおける呼接続のアクセス区間切替方法であって、
前記発呼端末が、前記広域通信ネットワーク又は前記狭域通信ネットワークを介して前記構内交換装置へ、発呼元番号及び着呼先番号を含む呼情報と共に発呼する第１のステップと、
前記構内交換装置が、前記発呼元番号及び前記着呼先番号の組を記憶テーブルに記憶する第２のステップと、
前記構内交換装置が、前記着呼先番号を用いて、前記広域通信ネットワーク又は前記狭域通信ネットワークを介して着呼端末へ再発呼する第３のステップと、
前記構内交換装置が、前記発呼端末に対する呼接続と、前記着呼端末に対する呼接続との間で中継する第４のステップと、
前記発呼端末又は前記着呼端末が、移動によって、前記狭域通信ネットワーク又は前記広域ネットワークを介して前記構内交換装置へ発呼する第５のステップと、
前記構内交換装置が、前記発呼端末に対する呼接続と、前記着呼端末に対する呼接続との間で中継するようにアクセス区間を切り替える第６のステップと
を有することを特徴とする呼接続のアクセス区間切替方法。
【請求項２】
第１のステップについて、前記発呼端末が、前記広域通信ネットワークを介して前記構内交換装置へ、発呼元番号及び着呼先番号を含む呼情報と共に発呼し、
第５のステップについて、前記発呼端末が、移動によって、前記狭域通信ネットワークを介して前記構内交換装置へ発呼（接続）する
ことを特徴とする請求項１に記載の呼接続のアクセス区間切替方法。
【請求項３】
第１のステップについて、前記発呼端末が、前記狭域通信ネットワークを介して前記構内交換装置へ、発呼元番号及び着呼先番号を含む呼情報と共に発呼（接続）し、
第５のステップについて、前記発呼端末が、移動によって、前記広域通信ネットワークを介して前記構内交換装置へ発呼する
ことを特徴とする請求項１に記載の呼接続のアクセス区間切替方法。
【請求項４】
第３のステップについて、前記構内交換装置が、前記着呼先番号を用いて、前記広域通信ネットワークを介して着呼端末へ再発呼し、
第５のステップについて、前記着呼端末が、移動によって、前記狭域通信ネットワークを介して前記構内交換装置へ発呼（接続）する
ことを特徴とする請求項１に記載の呼接続のアクセス区間切替方法。
【請求項５】
第３のステップについて、前記構内交換装置が、前記着呼先番号を用いて、前記狭域通信ネットワークを介して着呼端末へ再発呼（再接続）し、
第５のステップについて、前記着呼端末が、移動によって、前記広域通信ネットワークを介して前記構内交換装置へ発呼する
ことを特徴とする請求項１に記載の呼接続のアクセス区間切替方法。
【請求項６】
第１のステップについて、発呼端末に入力される電話番号は、「構内交換装置の電話番号」と「アンカー符号」と「着呼端末の電話番号」との組合せからなることを特徴とする請求項１から５のいずれか１項に記載の呼接続のアクセス区間切替方法。
【請求項７】
前記広域通信ネットワークは、通信交換コアネットワークと、無線アクセスネットワークと、ＩＰ(Internet Protocol)アクセスネットワークとを有し、
前記広域通信ネットワークの前記無線アクセスネットワークは、携帯電話網であり、
前記広域通信ネットワークの前記ＩＰアクセスネットワークは、呼制御プロトコルとしてはＳＩＰ(Session Initiation Protocol)を用いており、
前記狭域通信ネットワークは、無線／有線ＬＡＮ又はBluetoothであり、
前記構内交換装置は、ＩＰ−ＰＢＸ(Internet Protocol - Private Branch eXchange)であり、
前記発呼端末又は前記着呼端末は、前記無線アクセスネットワークに接続できる第１の通信インタフェースと、前記ＩＰアクセスネットワークに接続できる第２の通信インタフェースとを有し、第２の通信インタフェースを用いて前記狭域通信ネットワークを介して前記ＩＰ−ＰＢＸへ、接続要求としてのSIP INVITEを送信する
ことを特徴とする請求項１から６のいずれか１項に記載の呼接続のアクセス区間切替方法。
【請求項８】
前記記憶テーブルに記憶された前記発呼元番号及び着呼先番号の組は、当該セッションが終了した際に削除されることを特徴とする請求項１から７のいずれか１項に記載の呼接続のアクセス区間切替方法。
【請求項９】
広域通信ネットワークに相互接続された狭域ネットワークに配置される構内交換装置であって、
前記狭域ネットワークを介して発呼元番号及び着呼先番号を含む呼情報と共に、着呼を受け付けるＬＡＮ着呼受付手段と、
前記着呼先番号に応じて、前記狭域ネットワークを介して再発呼するＬＡＮ再発呼手段と、
前記広域ネットワークを介して発呼元番号及び着呼先番号を含む呼情報と共に、着呼を受け付けるＷＡＮ着呼受付手段と、
前記着呼先番号に応じて、前記広域ネットワークを介して再発呼するＷＡＮ再発呼手段と、
前記発呼元番号及び着呼先番号の組を記憶する記憶テーブル手段と、
前記発呼端末に対する呼接続と、着呼端末に対する呼接続との間で中継する呼接続中継手段と、
前記呼接続中継手段のアクセス区間を切り替えるアクセス区間切替手段と
を有することを特徴とする構内交換装置。
【請求項１０】
前記広域通信ネットワークは、通信交換コアネットワークと、無線アクセスネットワークと、ＩＰ(Internet Protocol)アクセスネットワークとを有し、
前記広域通信ネットワークの前記無線アクセスネットワークは、携帯電話網であり、
前記広域通信ネットワークの前記ＩＰアクセスネットワークは、呼制御プロトコルとしてはＳＩＰ(Session Initiation Protocol)を用いており、
前記狭域通信ネットワークは、無線／有線ＬＡＮ又はBluetoothであり、
前記構内交換装置は、ＩＰ−ＰＢＸ(Internet Protocol - Private Branch eXchange)であることを特徴とする請求項９に記載の構内交換装置。
【請求項１１】
請求項９又は１０に記載の構内交換装置と通信可能であって、前記広域通信ネットワークに接続される第１の通信インタフェースと、前記狭域通信ネットワークに接続される第２の通信インタフェースとを有する端末であって、
「構内交換装置の電話番号」と「アンカー符号」と「着呼端末の電話番号」との組合せからなる電話番号を入力可能な電話番号入力手段と、
発呼元番号及び着呼先番号を含む呼情報と共に、前記構内交換装置へ発呼する発呼手段と
を有することを特徴とする端末。
【請求項１２】
広域通信ネットワークに相互接続された狭域ネットワークに配置されるサーバに搭載されたコンピュータを機能させる構内交換用のプログラムであって、
前記狭域ネットワークを介して発呼元番号及び着呼先番号を含む呼情報と共に、着呼を受け付けるＬＡＮ着呼受付手段と、
前記着呼先番号に応じて、前記狭域ネットワークを介して再発呼するＬＡＮ再発呼手段と、
前記広域ネットワークを介して発呼元番号及び着呼先番号を含む呼情報と共に、着呼を受け付けるＷＡＮ着呼受付手段と、
前記着呼先番号に応じて、前記広域ネットワークを介して再発呼するＷＡＮ再発呼手段と、
前記発呼元番号及び着呼先番号の組を記憶する記憶テーブル手段と、
前記発呼端末に対する呼接続と、着呼端末に対する呼接続との間で中継する呼接続中継手段と、
前記呼接続中継手段のアクセス区間を切り替えるアクセス区間切替手段と
してコンピュータを機能させることを特徴とする構内交換用のプログラム。
【発明の詳細な説明】
【技術分野】
【０００１】
本発明は、呼接続中にアクセス区間を切り替える方法、構内交換装置、端末及びプログラムに関する。特に、ＬＡＮ通信機能を備えた携帯電話機が、携帯電話網からＬＡＮ(Local Area Network)へ呼接続を切り替える技術に関する。
【背景技術】
【０００２】
近年、携帯電話網のような広域無線通信ネットワークを介して通信する携帯電話機に、無線／有線ＬＡＮ又はBluetoothのような狭域高速無線通信インタフェースを備えているものが普及しつつある。このような携帯電話機では、屋外では携帯電話網を用いて通信することができ、屋内では例えばＬＡＮ等を用いて通信することができる。
【０００３】
携帯電話網からＬＡＮへ通信を切り替える技術として、第１に、ネットワーク内に通信路切替サーバを配置し、当該サーバが、移動端末の無線システムの切り替えをサポートする技術がある（例えば非特許文献１参照）。第２に、モバイルＩＰ(Internet Protocol)に基づくオールＩＰネットワークを用いて、携帯電話網と無線ＬＡＮとの間で通信経路を切り替える技術もある（例えば特許文献１参照）。第３に、モバイルＩＰに代えてＳＩＰ(Session Initiation Protocol)を用いて、同様に携帯電話網と無線ＬＡＮとの間で通信経路を切り替える技術もある（例えば非特許文献２参照）。第４に、無線ＬＡＮを用いた通信中に、携帯電話網の利用時と同様のサービスを、ユーザが所持する携帯電話機に提供する技術もある（例えば非特許文献３参照）。この技術は、携帯電話網に備えられたエッジ装置が、携帯電話網で用いられるシグナリングやメッセージをＩＰでカプセル化し、そのカプセル化されたパケットを携帯電話機へ無線ＬＡＮを介して送信する。携帯電話機は、そのカプセル化されたパケットに対して、カプセルの解放を実行する。
【０００４】
他の技術として、低廉な通話料金による通話サービスを提供するために、電話番号の頭に特定の番号を付加して、当該呼を、国際電話経由やＩＰ電話経由で、相手方端末へ着呼させる技術もある（例えば非特許文献４参照）。この技術は、移動端末からの発呼された呼は、一旦、構内装置を経由して、国際電話網やＩＰ電話網を介して相手方端末へ着呼させる。
【０００５】
図１は、従来技術におけるシステム構成図である。
【０００６】
図１のシステムによれば、発呼端末２と着呼端末３とは、広域通信ネットワークを介して呼接続をすることができる。また、発呼端末２は、構内に設置されたルータ８に接続することもでき、そのルータ８は、広域通信ネットワークに接続されている。ルータ８は、広域通信ネットワークと狭域高速通信ネットワーク（無線／有線ＬＡＮ又はBluetooth）とを相互接続する。発呼端末２は、広域通信ネットワークに接続する第１の通信インタフェースと、狭域高速通信ネットワークに接続する第２の通信インタフェースとを有する。第２の通信インタフェースは、アクセスポイント７１を介してルータ８に接続する。
【０００７】
広域通信ネットワークは、無線アクセスネットワーク４と、ＩＰアクセスネットワーク５と、通信交換コアネットワーク（バックボーンネットワーク）６とからなる。通信交換コアネットワーク６は、通信事業者によって運用管理される事業者網であって、例えば携帯電話網の基幹ネットワークである。通信交換コアネットワーク６は、通信呼の回線交換を実行するＭＳＣ(Mobile Switching Center)６１と、無線アクセスネットワーク４との間に介在するＣ−ＢＳＣ(Centralized Base Station Controller)６２と、加入者データベースであるＨＬＲ(Home Location Register)６３とを含む。
【０００８】
無線アクセスネットワーク４は、例えば携帯電話網であるセルラＲＡＮ(Radio access
network)であり、複数の基地局４１が接続されている。基地局４１は、無線リンクを介して、発呼端末（携帯電話機）と通信する。無線アクセスネットワーク４は、例えばＣＤＭＡ
２０００ １ｘのシステムで構築されている。
【０００９】
ＩＰアクセスネットワーク５は、例えばインターネットサービスプロバイダネットワークであり、ユーザ構内に配置されたルータ８に接続される。ＩＰアクセスネットワークは、通信交換コアネットワーク６に相互接続されると共に、外部のインターネットへも接続される。
【００１０】
図１によれば、発呼端末２から着呼端末３へ向けた、呼の経路が表されている。発呼端末は、無線アクセスネットワーク４->通信交換コアネットワーク６を経由して、着呼端末３へ発呼する。このとき、発呼の電話番号は、着呼端末３宛となる。その後、発呼端末２を所持する利用者が、通話しながら、構内へ移動したとする。このとき、無線アクセスネットワーク４の基地局４１からの電波が弱くなる一方で、ルータ８に接続されるアクセスポイント７１からの電波を検出できる。そうすると、発呼端末２は、一度、無線アクセスネットワーク４を介した呼接続を、切断する。そして、発呼端末２は、ルータ８を介して、ＩＰアクセスネットワーク５を経由して、着呼端末３へ発呼する。このように、携帯電話網とＬＡＮとの間では呼接続を維持することはできない。
【００１１】
【特許文献１】特開２００４−２８９４６０号公報
【非特許文献１】3GPP TS 23.206 v7.5.0, “Voice CallContinuity (VCC) between Circuit Switched (CS) and IP Multimedia Subsystem(IMS); Stage 2,” Dec. 2007.
【非特許文献２】Schulzrinne, H. and E. Wedlund,"Application-Layer Mobility Using SIP", ACM Mobile Computing andCommunications Review Vol.4, No.3, July 2000.
【非特許文献３】3GPP TS 43.318 V6.11.0, “Radio AccessNetwork; Generic Access Network (GAN); Stage 2,” Nov. 2007.
【非特許文献４】http://www.iptalk.net/news/200611.html
【発明の開示】
【発明が解決しようとする課題】
【００１２】
前述した特許文献１及び非特許文献１〜３に記載された技術によれば、いずれも、既存ネットワークに、サーバを設置するなどの変更が必要となり、サービス展開の迅速性や、コストの点から課題がある。特に、特許文献１及び非特許文献２に記載された技術によれば、オールＩＰネットワークを前提としており、現在主流の回線交換網を用いた移動体音声サービスへの対応は困難である。また、非特許文献４に記載された技術によれば、発呼時に通信経路を定めているが、目的は低廉な通信料であり、経路切替えには対応していない。
【００１３】
そこで、本発明は、既存ネットワーク及び通信（通話）相手端末に対して別途の機能及び装置を搭載することなく、通話中に、広域通信ネットワーク及び狭域高速通信ネットワークのアクセス区間を切り替えることができる方法、構内交換装置、端末及びプログラムを提供することを目的とする。
【課題を解決するための手段】
【００１４】
本発明によれば、広域通信ネットワークを介して呼接続可能な発呼端末及び着呼端末と、広域通信ネットワーク及び狭域通信ネットワークに接続される構内交換装置とを有するシステムにおける呼接続のアクセス区間切替方法であって、
発呼端末が、広域通信ネットワーク又は狭域通信ネットワークを介して構内交換装置へ、発呼元番号及び着呼先番号を含む呼情報と共に発呼する第１のステップと、
構内交換装置が、発呼元番号及び着呼先番号の組を記憶テーブルに記憶する第２のステップと、
構内交換装置が、着呼先番号を用いて、広域通信ネットワーク又は狭域通信ネットワークを介して着呼端末へ再発呼する第３のステップと、
構内交換装置が、発呼端末に対する呼接続と、着呼端末に対する呼接続との間で中継する第４のステップと、
発呼端末又は着呼端末が、移動によって、狭域通信ネットワーク又は広域ネットワークを介して構内交換装置へ発呼する第５のステップと、
構内交換装置が、発呼端末に対する呼接続と、着呼端末に対する呼接続との間で中継するようにアクセス区間を切り替える第６のステップと
を有することを特徴とする。
【００１５】
本発明の呼接続のアクセス区間切替方法における他の実施形態によれば、
第１のステップについて、発呼端末が、広域通信ネットワークを介して構内交換装置へ、発呼元番号及び着呼先番号を含む呼情報と共に発呼し、
第５のステップについて、発呼端末が、移動によって、狭域通信ネットワークを介して構内交換装置へ発呼（接続）することも好ましい。
【００１６】
本発明の呼接続のアクセス区間切替方法における他の実施形態によれば、
第１のステップについて、発呼端末が、狭域通信ネットワークを介して構内交換装置へ、発呼元番号及び着呼先番号を含む呼情報と共に発呼（接続）し、
第５のステップについて、発呼端末が、移動によって、広域通信ネットワークを介して構内交換装置へ発呼することも好ましい。
【００１７】
本発明の呼接続のアクセス区間切替方法における他の実施形態によれば、
第３のステップについて、構内交換装置が、着呼先番号を用いて、広域通信ネットワークを介して着呼端末へ再発呼し、
第５のステップについて、着呼端末が、移動によって、狭域通信ネットワークを介して構内交換装置へ発呼（接続）することも好ましい。
【００１８】
本発明の呼接続のアクセス区間切替方法における他の実施形態によれば、
第３のステップについて、構内交換装置が、着呼先番号を用いて、狭域通信ネットワークを介して着呼端末へ再発呼（再接続）し、
第５のステップについて、着呼端末が、移動によって、広域通信ネットワークを介して構内交換装置へ発呼することも好ましい。
【００１９】
本発明の呼接続のアクセス区間切替方法における他の実施形態によれば、
第１のステップについて、発呼端末に入力される電話番号は、「構内交換装置の電話番号」と「アンカー符号」と「着呼端末の電話番号」との組合せからなることも好ましい。
【００２０】
本発明の呼接続のアクセス区間切替方法における他の実施形態によれば、
広域通信ネットワークは、通信交換コアネットワークと、無線アクセスネットワークと、ＩＰ(Internet Protocol)アクセスネットワークとを有し、
広域通信ネットワークの無線アクセスネットワークは、携帯電話網であり、
広域通信ネットワークのＩＰアクセスネットワークは、呼制御プロトコルとしてはＳＩＰ(Session Initiation Protocol)を用いており、
狭域通信ネットワークは、無線／有線ＬＡＮ又はBluetoothであり、
構内交換装置は、ＩＰ−ＰＢＸ(Internet Protocol - Private Branch eXchange)であり、
発呼端末又は着呼端末は、無線アクセスネットワークに接続できる第１の通信インタフェースと、ＩＰアクセスネットワークに接続できる第２の通信インタフェースとを有し、第２の通信インタフェースを用いて狭域通信ネットワークを介してＩＰ−ＰＢＸへ、接続要求としてのSIP INVITEを送信する
ことを特徴とする。
【００２１】
本発明の呼接続のアクセス区間切替方法における他の実施形態によれば、
記憶テーブルに記憶された発呼元番号及び着呼先番号の組は、当該セッションが終了した際に削除されることも好ましい。
【００２２】
本発明によれば、広域通信ネットワークに相互接続された狭域ネットワークに配置される構内交換装置であって、
狭域ネットワークを介して発呼元番号及び着呼先番号を含む呼情報と共に、着呼を受け付けるＬＡＮ着呼受付手段と、
着呼先番号に応じて、狭域ネットワークを介して再発呼するＬＡＮ再発呼手段と、
広域ネットワークを介して発呼元番号及び着呼先番号を含む呼情報と共に、着呼を受け付けるＷＡＮ着呼受付手段と、
着呼先番号に応じて、広域ネットワークを介して再発呼するＷＡＮ再発呼手段と、
発呼元番号及び着呼先番号の組を記憶する記憶テーブル手段と、
発呼端末に対する呼接続と、着呼端末に対する呼接続との間で中継する呼接続中継手段と、
呼接続中継手段のアクセス区間を切り替えるアクセス区間切替手段と
を有することを特徴とする。
【００２３】
本発明の構内交換装置における他の実施形態によれば、
広域通信ネットワークは、通信交換コアネットワークと、無線アクセスネットワークと、ＩＰ(Internet Protocol)アクセスネットワークとを有し、
広域通信ネットワークの無線アクセスネットワークは、携帯電話網であり、
広域通信ネットワークのＩＰアクセスネットワークは、呼制御プロトコルとしてはＳＩＰ(Session Initiation Protocol)を用いており、
狭域通信ネットワークは、無線／有線ＬＡＮ又はBluetoothであり、
構内交換装置は、ＩＰ−ＰＢＸ(Internet Protocol - Private Branch eXchange)であることも好ましい。
【００２４】
本発明によれば、前述した構内交換装置と通信可能であって、広域通信ネットワークに接続される第１の通信インタフェースと、狭域通信ネットワークに接続される第２の通信インタフェースとを有する端末であって、
「構内交換装置の電話番号」と「アンカー符号」と「着呼端末の電話番号」との組合せからなる電話番号を入力可能な電話番号入力手段と、
発呼元番号及び着呼先番号を含む呼情報と共に、構内交換装置へ発呼する発呼手段と
を有することを特徴とする。
【００２５】
本発明によれば、広域通信ネットワークに相互接続された狭域ネットワークに配置されるサーバに搭載されたコンピュータを機能させる構内交換用のプログラムであって、
狭域ネットワークを介して発呼元番号及び着呼先番号を含む呼情報と共に、着呼を受け付けるＬＡＮ着呼受付手段と、
着呼先番号に応じて、狭域ネットワークを介して再発呼するＬＡＮ再発呼手段と、
広域ネットワークを介して発呼元番号及び着呼先番号を含む呼情報と共に、着呼を受け付けるＷＡＮ着呼受付手段と、
着呼先番号に応じて、広域ネットワークを介して再発呼するＷＡＮ再発呼手段と、
発呼元番号及び着呼先番号の組を記憶する記憶テーブル手段と、
発呼端末に対する呼接続と、着呼端末に対する呼接続との間で中継する呼接続中継手段と、
呼接続中継手段のアクセス区間を切り替えるアクセス区間切替手段と
してコンピュータを機能させることを特徴とする。
【発明の効果】
【００２６】
本発明のアクセス区間切替方法、構内交換装置、端末及びプログラムによれば、既存ネットワーク及び着呼端末に対して別途の機能及び装置を搭載することなく、通話中に、広域通信ネットワーク及び狭域高速通信ネットワークのアクセス区間を切り替えることができる。
【発明を実施するための最良の形態】
【００２７】
以下では、図面を用いて、本発明を実施するための最良の形態について詳細に説明する。
【００２８】
図２は、本発明における第１のシステム構成図である。
【００２９】
図２によれば、ユーザ構内に配置されるルータ８に代えて、ＩＰ−ＰＢＸである構内交換装置１が備えられている。ＩＰ−ＰＢＸとは、ＩＰネットワークにおけるＩＰ電話端末の回線交換機として機能し、企業又は宅内等の組織内ＬＡＮにおけるＩＰ電話の内線電話網を実現する。特に、ＩＰ−ＰＢＸは、広域通信ネットワークのＷＡＮ（ＩＰアクセスネットワーク５）と、狭域通信ネットワークのＬＡＮとの間の回線交換機能も有する。尚、ＩＰ−ＰＢＸ１は、端末からの発呼要求を受け付けるために、ＳＩＰサーバの機能も搭載している。勿論、ルータ８を用いて、ＬＡＮとＩＰアクセスネットワークとを相互接続し、そのＬＡＮにＩＰ−ＰＢＸ１を接続する構成であってもよい。そのＩＰ−ＰＢＸ１は、ＷＡＮに対するインタフェースを備える必要はない。
【００３０】
図２によれば、発呼端末２から着呼端末３へ向けた、呼の経路が表されている。発呼端末２は、無線アクセスネットワーク４->通信交換コアネットワーク６->ＩＰアクセスネットワーク５を経由して、ＩＰ−ＰＢＸ１へ発呼する。このとき、発呼の電話番号は、ＩＰ−ＰＢＸ１宛となる。この発呼では、発呼元番号及び着呼先番号を含む呼情報も、ＩＰ−ＰＢＸ１へ送信される。発呼端末２から着呼したＩＰ−ＰＢＸ１は、着呼先番号を用いて、ＩＰアクセスネットワーク５を経由して、着呼端末３へ発呼する。ＩＰ−ＰＢＸ１は、発呼端末２に対する呼接続と、着呼端末３に対する呼接続とを中継するように動作する。
【００３１】
その後、発呼端末２は、屋内に移動している。発呼端末２は、屋内の無線ＬＡＮ７によってアクセスポイント７１を介して、ＩＰ−ＰＢＸ１に接続（発呼）する。これによって、ＩＰ−ＰＢＸ１は、発呼端末２に対する呼接続と着呼端末３に対する呼接続とを中継する。
【００３２】
図３は、本発明におけるシーケンス図である。
【００３３】
（Ｓ３０１）最初に、発呼端末２を操作する利用者が、「構内交換装置の電話番号」と「アンカー符号」と「着呼端末の電話番号」との組合せからなる電話番号を、発呼端末２に入力する。例えば、発呼端末２、着呼端末３及びＩＰ−ＰＢＸ１の電話番号を、以下のように表す。
発呼端末の電話番号    ：「0x0-xxxx-yyyy」
着呼端末の電話番号    ：「0a-bbbb-cccc」
ＩＰ−ＰＢＸの電話番号：「0h-iiii-jjjj」
このとき、本発明における電話番号は、以下のように表される。
「中継装置番号」＋「アンカー符号」＋「着呼先番号」
「0h-iiii-jjjj-*11#-0a-bbbb-cccc」
ここで、「*11#」は、「アンカー符号」である。これは、「0h-iiii-jjjj」を経由して（アンカーして）「0a-bbbb-cccc」へ発呼する、ことを意味する。
【００３４】
発呼端末２は、アクセスチャネル上で、Origination Messageを、基地局４１へ送信する。Origination Messageは、発呼元番号及び着呼先番号を含む呼情報であり、中継装置番号「0h-iiii-jjjj」を持つＩＰ−ＰＢＸ１へ発呼する。
【００３５】
Origination Messageを受信した基地局４１は、その確認応答として、BS Ack
Orderを、発呼端末２へ返信する。
【００３６】
（Ｓ３０２）基地局４１は、CM Service Request messageを生成する。そして、基地局４１は、CM Service Request messageを含む、発呼要求としてのComplete L3 Infoメッセージを、Ｃ−ＢＳＣ６２を経由して、ＭＳＣ６１へ送信する。これに対し、ＭＳＣ６１は、基地局４１へ、無線リソースを割り当てるよう指示する、発呼応答としてのAssignment Requestを返信する。
【００３７】
（Ｓ３０３）基地局４１は、発呼端末２との間で、無線リソース（トラフィックチャネル）を確立する。その後、基地局４１は、発呼確認としてのAssignment Completeを、Ｃ−ＢＳＣ６２を経由してＭＳＣ６１へ送信する。
【００３８】
（Ｓ３０４）ＭＳＣ６１は、中継装置番号「0h-iiii-jjjj」を持つＩＰ−ＰＢＸ１へ、発呼要求（初期アドレスメッセージ：ＩＡＭ(Initiation Address Message)）を送信する。この発呼要求には、発呼元番号及び着呼先番号が含まれる。
【００３９】
（Ｓ３０５）着呼と共に発呼要求を受信したＩＰ−ＰＢＸ１は、発呼元番号「0x0-xxxx-yyyy」及び着呼先番号「0a-bbbb-cccc」の組を記憶テーブルに記憶する。
【００４０】
（Ｓ３０６）次に、ＩＰ−ＰＢＸ１は、着呼先番号「0a-bbbb-cccc」を持つ着呼端末３へ、発呼要求（初期アドレスメッセージ：ＩＡＭ）と共に再発呼する。
【００４１】
（Ｓ３０７）着呼端末（又は着呼端末側の交換機）は、アドレス完了メッセージ（ＡＣＭ(Address Complete Message)を、ＩＰ−ＰＢＸ１へ返信する。また、ＩＰ−ＰＢＸ１は、そのアドレス完了メッセージを、ＭＳＣ６１へ更に返信する。
【００４２】
（Ｓ３０８）ＭＳＣ６１は、Ｃ−ＢＳＣ６２及び基地局４１を介して、発呼端末２へ、リングバックトーンを送出する。これによって、発呼端末２を操作する発呼者は、呼び出し中であることを認識することができる。リングバックトーンとは、発呼端末が電話をかけた際、呼び出し中に聞こえる「呼び出し音」である。
【００４３】
（Ｓ３０９）また、着呼端末３は、ＩＰ−ＰＢＸ１へ、呼経過メッセージ（ＣＰＧ(Call
Proceeding)）を送信する。ＩＰ−ＰＢＸ１は、この呼経過メッセージを、ＭＳＣ６１へ更に送信する。
【００４４】
（Ｓ３１０）更に、着呼端末３は、利用者によってオフフックの操作がされた際に、ＩＰ−ＰＢＸ１へ、応答メッセージ（ＡＮＭ(ANswer Message)）を送信する。応答メッセージには、発呼元番号（発呼端末２の電話番号）及び着呼先番号（着呼端末３の電話番号）を含む。その後、ＩＰ−ＰＢＸ１は、この応答メッセージを、ＭＳＣ６１へ更に送信する。
その後、ＩＰ−ＰＢＸ１は、この応答メッセージを、ＭＳＣ６１へ更に送信する。
【００４５】
ＩＰ−ＰＢＸ１は、この応答メッセージを受信することによって、Ｓ３０５についての発呼元番号及び着呼先番号の組の記憶を確定する。逆に、応答メッセージを受信しなかった場合、ＩＰ−ＰＢＸ１は、発呼元番号及び着呼先番号の組の記憶を消去する。また、ＩＰ−ＰＢＸ１が、応答メッセージを受信したけれども、記憶テーブルに登録されていない発呼元番号及び着呼先番号の組の場合は、この応答メッセージを無視する。尚、記憶テーブルに記憶される発呼元番号及び着呼先番号の組は、呼接続が終了すると削除される。
【００４６】
（Ｓ３１１）発呼端末２と着呼端末３との呼接続は、ＩＰ−ＰＢＸ１によってアンカーされる。即ち、ＩＰ−ＰＢＸ１が、発呼端末２に対する呼接続と、着呼端末３に対する呼接続とを中継する。
【００４７】
（Ｓ３１２）続いて、発呼端末２が、構内に移動し、狭域高速無線通信ネットワークである無線ＬＡＮのエリアに入ったとする。このとき、発呼端末２は、アクセスポイント７１を発見する。
【００４８】
（Ｓ３２１）発呼端末２は、アクセスポイント７１と通信可能となった際に、アクセスポイント７１を介してＩＰ−ＰＢＸ１へ登録要求を送信し、登録シーケンスを実行する。ＩＰ−ＰＢＸ１は、ＳＩＰサーバ(SIP Registrar)の機能を備えている。ＩＰアクセスネットワークにおける呼制御プロトコルとしては、ＳＩＰが用いられる。
【００４９】
（Ｓ３２２）発呼端末２は、次に、アクセスポイント７１を介してＩＰ−ＰＢＸ１へ、接続要求（SIP
INVITE）を送信する。接続要求は、送信元識別子及び宛先識別子を含む。例えば、送信元識別子及び宛先識別子は、以下のようなものである。
送信元識別子：「sip:+81x0xxxxyyyy@ippbx.example.com」
宛先識別子  ：「sip:+81 abbbbcccc@corr.example.com」
【００５０】
（Ｓ３２３）ＩＰ−ＰＢＸ１は、記憶テーブルに記憶されている発呼元番号及び着呼先番号の組と、送信元識別子及び宛先識別子の組とを比較する。送信元識別子及び宛先識別子については、＠より前の値のみを比較する。即ち、送信元識別子「+81x0xxxxyyyy」及び宛先識別子「+81 abbbbcccc」が比較対象となる。
【００５１】
ここで、記憶テーブルに記憶されている発呼元番号及び着呼先番号の組と、送信元識別子及び宛先識別子の組とが一致した場合、当該呼について、アクセス区間を切り替える。ここで、記憶テーブルに記憶されている発呼元番号及び着呼先番号の組が、送信元識別子及び宛先識別子の組と一致すればよい。つまり、｛発呼元番号と送信元識別子とが一致し、且つ、着呼先番号と宛先識別子とが一致する｝又は｛発呼元番号と宛先識別子とが一致し、且つ、着呼先番号と送信元識別子とが一致する｝のいずれかの条件を満たせば、当該呼についてアクセス区間を切り替える。
【００５２】
（Ｓ３２４）ＩＰ−ＰＢＸ１は、アクセス区間を切り替えると、接続応答である２００ＯＫメッセージを、発呼端末２へ送信する。これに対し、発呼端末２は、接続確認であるＡＣＫメッセージを、ＩＰ−ＰＢＸ１へ返信する。
【００５３】
（Ｓ３２５）これによって、ＩＰ−ＰＢＸ１が、ＬＡＮを介して接続された発呼端末２に対する呼接続と、ＩＰアクセスネットワークを介して接続された着呼端末３に対する呼接続とを中継する。即ち、発呼端末の通話中に、広域通信ネットワークの回線交換から狭域高速通信ネットワークのＶｏＩＰへ、アクセス区間を切り替えることができる。
【００５４】
（Ｓ３２６）発呼端末２は、基地局４１へ、呼接続の解放要求を送信し、無線アクセスネットワーク４を介した呼接続を切断する。
【００５５】
図４は、本発明におけるＩＰ−ＰＢＸ及び発呼端末の機能構成図である。
【００５６】
図４によれば、ＩＰ−ＰＢＸ１は、ＷＡＮインタフェース１０１と、ＬＡＮインタフェース１０２と、ＷＡＮ着呼受付部１１１と、ＷＡＮ再発呼部１１２と、ＬＡＮ着呼受付部１１３と、ＬＡＮ再発呼部１１４と、呼接続中継部１１５と、アクセス区間切替部１１６と、記憶テーブル１１７とを有する。ＷＡＮインタフェース１０１及びＬＡＮインタフェース１０２以外のこれら機能構成部は、ＩＰ−ＰＢＸに搭載されたコンピュータを機能させるプログラムを実行することによって実現される。
【００５７】
ＷＡＮインタフェース１０１は、広域通信ネットワークにおけるＩＰアクセスネットワーク５に接続する。ＩＰ−ＰＢＸ１は、ＷＡＮインタフェース１０１を介して、着呼端末と、移動前の屋外の発呼端末とそれぞれ、通信することができる。
【００５８】
ＬＡＮインタフェース１０２は、無線／有線ＬＡＮ又はBluetoothに接続される。図４によれば、無線ＬＡＮ用のアクセスポイント７１に接続される。ＩＰ−ＰＢＸ１は、ＬＡＮインタフェース１０２を介して、移動後の屋内の発呼端末２と通信することができる。
【００５９】
ＷＡＮ着呼受付部１１１は、ＷＡＮインタフェース１０１から、発呼要求（初期アドレスメッセージ：ＩＡＭ）を含む着呼を受け付ける。発呼要求には、発呼元番号及び着呼先番号の呼情報が含まれる。ＷＡＮ着呼受付部１１１は、発呼要求に基づく当該呼を呼接続中継部１１５で維持させると共に、ＷＡＮ再発呼部１１２又はＬＡＮ再発呼部１１４へ着呼先番号を出力する。また、発呼元番号及び着呼先番号の組は、記憶テーブル１１７へ出力される。
【００６０】
ＬＡＮ着呼受付部１１３は、ＬＡＮインタフェース１０２から、接続要求（SIP INVITE)を含む着呼を受け付ける。接続要求には、発呼元番号及び着呼先番号の呼情報が含まれる。ＬＡＮ着呼受付部１１３は、発呼要求に基づく当該呼を呼接続中継部１１５で維持させると共に、ＬＡＮ再発呼部１１４又はＷＡＮ再発呼部１１２へ着呼先番号を出力する。また、発呼元番号及び着呼先番号の組は、記憶テーブル１１７へ出力される。尚、端末がＷＡＮにあるか又はＬＡＮにあるかは、SIP Registrar内のデータベースによって判断される。
【００６１】
ＷＡＮ再発呼部１１２は、ＷＡＮ着呼受付部１１１又はＬＡＮ着呼受付部１１３から出力された着呼先番号へ再発呼する。再発呼に基づく呼は、呼接続中継部１１５で維持される。
【００６２】
ＬＡＮ再発呼部１１４は、ＬＡＮ着呼受付部１１３又はＷＡＮ着呼受付部１１１から出力された着呼先番号へ再発呼する。再発呼に基づく呼は、呼接続中継部１１５で維持される。
【００６３】
記憶テーブル１１７は、ＷＡＮ着呼受付部１１１から出力された発呼元番号及び着呼先番号の組を記憶する。
【００６４】
呼接続中継部１１５は、以下の４つのパターンの呼接続中継を切り替える。
【００６５】
（中継１）ＷＡＮインタフェース１０１を介した発呼端末２に対する呼接続と、ＷＡＮインタフェース１０１を介した着呼端末３に対する呼接続との中継
↓
ＬＡＮインタフェース１０２を介した発呼端末２に対する呼接続と、ＷＡＮインタフェース１０１を介した着呼端末３に対する呼接続との中継
【００６６】
（中継２）ＬＡＮインタフェース１０２を介した発呼端末２に対する呼接続と、ＷＡＮインタフェース１０１を介した着呼端末３に対する呼接続との中継
↓
ＷＡＮインタフェース１０１を介した発呼端末２に対する呼接続と、ＷＡＮインタフェース１０１を介した着呼端末３に対する呼接続との中継
【００６７】
（中継３）ＷＡＮインタフェース１０１を介した発呼端末２に対する呼接続と、ＷＡＮインタフェース１０１を介した着呼端末３に対する呼接続との中継
↓
ＷＡＮインタフェース１０１を介した発呼端末２に対する呼接続と、ＬＡＮインタフェース１０２を介した着呼端末３に対する呼接続との中継
【００６８】
（中継４）ＷＡＮインタフェース１０１を介した発呼端末２に対する呼接続と、ＬＡＮインタフェース１０２を介した着呼端末３に対する呼接続との中継
↓
ＷＡＮインタフェース１０１を介した発呼端末２に対する呼接続と、ＷＡＮインタフェース１０１を介した着呼端末３に対する呼接続との中継
【００６９】
アクセス区間切替部１１６は、発呼端末２がＬＡＮインタフェースを介して接続した場合、その発呼端末２が、記憶テーブル１１７に記憶された発呼端末又は着呼端末の電話番号と一致するか否かを判定する。一致する場合、呼接続中継部１１５に対して、（中継１）から（中継２）へ切り替えるように指示する。
【００７０】
図４によれば、端末２は、ＬＡＮインタフェース２０１と、ＷＡＮインタフェース２０２と、呼接続切替部２１１と、ＷＡＮ発呼部２１２と、ＬＡＮ発呼部２１３と、ユーザインタフェース部２１４とを有する。呼接続切替部２１１は、ユーザインタフェース部２１４の通話機能に対して、ＬＡＮインタフェース２０１又はＷＡＮインタフェース２０２に切り替える。ＷＡＮ発呼部２１２は、ユーザインタフェース部２１４に入力された「構内交換装置の電話番号」へ向けて発呼し、発呼元番号及び着呼先番号を含む呼情報を送信する。ユーザインタフェース部２１４は、利用者によって、「構内交換装置の電話番号」と「アンカー符号」と「着呼端末の電話番号」との組合せからなる電話番号の入力を受け付ける。ＬＡＮ発呼部２１３は、ＬＡＮインタフェース２０１を介してＩＰ−ＰＢＸ１に接続した際に、接続要求を送信する。
【００７１】
図５は、本発明における第２のシステム構成図である。
【００７２】
図５によれば、発呼端末２は、無線ＬＡＮ７によってアクセスポイント７１を介して、ＩＰ−ＰＢＸ１へ向けて発呼（接続）する。ここでは、例えば図３のＳ３２２と同じ接続要求が、ＩＰ−ＰＢＸ１へ送信される。この発呼では、Ｓ３２２と同様に送信元識別子及び宛先識別子を含んでおり、ＩＰ−ＰＢＸ１へ送信される。ＩＰ−ＰＢＸ１は、そのメッセージの送信元識別子及び宛先識別子の組が、記憶テーブルに記憶されている発呼元番号及び着呼先番号の組と一致しないと判断し、その識別子の組を、新たに記憶テーブルに記憶する。発呼端末２から着呼したＩＰ−ＰＢＸ１は、着呼先番号を用いて、ＩＰアクセスネットワーク５を経由して、着呼端末３へ発呼する。ＩＰ−ＰＢＸ１は、発呼端末２に対する呼接続と、着呼端末３に対する呼接続とを中継するように動作する。
【００７３】
その後、発呼端末２は、屋外に移動している。発呼端末２は、無線ＬＡＮの無線品質の劣化を検知した場合、無線アクセスネットワーク４によって基地局４１を介して、ＩＰ−ＰＢＸ１に発呼する。このとき、その電話番号は、「構内交換装置の電話番号」、「アンカー符号」、「着呼端末の電話番号」の組み合わせである。着呼したＩＰ−ＰＢＸ１は、その発呼元番号及び着呼先番号の組と、記憶テーブルに記憶されている送信元識別子及び宛先識別子の組を比較し、その組が一致した場合、その呼接続について、ＬＡＮインタフェース１０２からＷＡＮインタフェース１０１への中継の切替を実行する。これによって、ＩＰ−ＰＢＸ１は、発呼端末２に対する呼接続と着呼端末３に対する呼接続とを中継する。尚、勿論、図３のＳ３０１で前述した、初期発呼時のアンカー符号と異なることも好ましい。これによって、アンカー符号によって、ＩＰ−ＰＢＸ１が、初期発呼か又は切り替え要求呼かを判断することができる。
【００７４】
図６は、本発明における第３のシステム構成図である。
【００７５】
図６によれば、発呼端末２は、ＩＰアクセスネットワーク５を介して、ＩＰ−ＰＢＸ１へ向けて発呼する。このとき、発呼の電話番号は、ＩＰ−ＰＢＸ１宛となる。この発呼では、発呼元番号及び着呼先番号を含む呼情報も、ＩＰ−ＰＢＸ１へ送信される。発呼端末２から着呼したＩＰ−ＰＢＸ１は、着呼先番号を用いて、ＩＰアクセスネットワーク５->通信交換コアネットワーク６を経由して、着呼端末３へ発呼する。ＩＰ−ＰＢＸ１は、発呼端末２に対する呼接続と、着呼端末３に対する呼接続とを中継するように動作する。
【００７６】
その後、着呼端末３は、屋内に移動している。着呼端末３は、無線ＬＡＮ７によってアクセスポイント７１を介して、ＩＰ−ＰＢＸ１に発呼する。これによって、ＩＰ−ＰＢＸ１は、発呼端末２に対する呼接続と着呼端末３に対する呼接続とを中継する。
【００７７】
図７は、本発明における第４のシステム構成図である。
【００７８】
図７によれば、発呼端末２は、ＩＰアクセスネットワーク５を介して、ＩＰ−ＰＢＸ１へ向けて発呼する。このとき、発呼の電話番号は、ＩＰ−ＰＢＸ１宛となる。この発呼では、発呼元番号及び着呼先番号を含む呼情報も、ＩＰ−ＰＢＸ１へ送信される。発呼端末２から着呼したＩＰ−ＰＢＸ１は、着呼先番号を用いて、無線ＬＡＮを経由して、着呼端末３へ発呼する。ＩＰ−ＰＢＸ１は、発呼端末２に対する呼接続と、着呼端末３に対する呼接続とを中継するように動作する。
【００７９】
その後、着呼端末３は、屋外に移動している。着呼端末３は、無線アクセスネットワーク４によって基地局４１を介して、ＩＰ−ＰＢＸ１に発呼する。これによって、ＩＰ−ＰＢＸ１は、発呼端末２に対する呼接続と着呼端末３に対する呼接続とを中継する。
【００８０】
以上、詳細に説明したように、本発明のアクセス区間切替方法、構内交換装置、端末及びプログラムによれば、既存ネットワーク及び通信（通話）相手端末に対して別途の機能及び装置を搭載することなく、通話中に、広域通信ネットワーク及び狭域高速通信ネットワークのアクセス区間を切り替えることができる。発呼端末から携帯電話網を介して発呼された呼を、構内交換装置にアンカーさせることにより、広域通信ネットワークに別途の設備を備えることなく、アクセスネットワークを切り替えることができる。
【００８１】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００８２】
【図１】従来技術におけるシステム構成図である。
【図２】本発明における第１のシステム構成図である。
【図３】本発明におけるシーケンス図である。
【図４】本発明におけるＩＰ−ＰＢＸ及び発呼端末の機能構成図である。
【図５】本発明における第２のシステム構成図である。
【図６】本発明における第３のシステム構成図である。
【図７】本発明における第４のシステム構成図である。
【符号の説明】
【００８３】
１  構内交換装置、ＩＰ−ＰＢＸ
１０１  ＷＡＮインタフェース
１０２  ＬＡＮインタフェース
１１１  ＷＡＮ着呼受付部
１１２  ＷＡＮ再発呼部
１１３  ＬＡＮ着呼受付部
１１４  ＬＡＮ再発呼部
１１５  呼接続中継部
１１６  アクセス区間切替部
１１７  記憶テーブル
２  発呼端末、発呼側携帯電話機
２０１  ＬＡＮインタフェース
２０２  ＷＡＮインタフェース
２１１  呼接続切替部
２１２  ＷＡＮ発呼部
２１３  ＬＡＮ発呼部
３  着呼端末、着呼側電話機
４  無線アクセスネットワーク、ＲＡＮ
４１  基地局
５  ＩＰアクセスネットワーク
６  通信交換コアネットワーク
６１  ＭＳＣ
６２  Ｃ−ＢＳＣ
６３  ＨＬＲ
７  ＬＡＮ
７１  アクセスポイント
【図１】
2010021660.tif 000003
【図２】
2010021660.tif 000004
【図３】
2010021660.tif 000005
【図４】
2010021660.tif 000006
【図５】
2010021660.tif 000007
【図６】
2010021660.tif 000008
【図７】
2010021660.tif 000009